(57)【要約】  外部電源との接続無しで発光表示を行うことが可能な発光シートを提供する。  本発明の発光シート（１Ａ）は、基材（１０）と、基材（１０）に設けられているシート電池（２０）と、基材（１０）に設けられており、シート電池（２０）からの電力によって発光する有機ＥＬ素子（３０）と、基材（１０）に設けられており、シート電池（２０）と有機ＥＬ素子（３０）とを電気的に接続した状態と切断した状態とを切替可能なスイッチ（５０）と、を備える。
2018173495.tif 000002
【特許請求の範囲】
【請求項１】
基材と、
前記基材に設けられているシート電池と、
前記基材に設けられており、前記シート電池からの電力によって発光する有機ＥＬ素子と、
前記基材に設けられており、前記シート電池と前記有機ＥＬ素子とを電気的に接続した状態と切断した状態とを切替可能なスイッチと、
を備える発光シート。
【請求項２】
前記有機ＥＬ素子を覆うとともに、前記有機ＥＬ素子から発光された光を透過可能な光透過部を有する表示シートを備える請求項１に記載の発光シート。
【請求項３】
前記光透過部を透過する光のピーク波長は、前記有機ＥＬ素子の発光スペクトルのピーク波長から３０ｎｍ以内に設定されている請求項２に記載の発光シート。
【請求項４】
前記表示シートと前記基材との間に設けられており、前記有機ＥＬ素子から発光された光が通過する開口部を有する遮光シートを備える請求項２又は請求項３に記載の発光シート。
【請求項５】
前記有機ＥＬ素子は、紫外線照射によってパターニングされている請求項１に記載の発光シート。
【請求項６】
前記シート電池は、前記基材の前記有機ＥＬ素子が設けられた面とは反対側の面に設けられている請求項１に記載の発光シート。
【請求項７】
前記シート電池は、前記基材の前記有機ＥＬ素子が設けられている面と同一の面に設けられており、前記基材が折り曲げられることによって、前記有機ＥＬ素子とは反対側に配置されている請求項１に記載の発光シート。
【請求項８】
前記スイッチは、前記基材に対して当該基材の面と交差する方向に相対移動可能なスイッチ側導線を備え、前記スイッチ側導線が前記基材に設けられる基材側導線に接触することによって、前記シート電池と前記有機ＥＬ素子とを電気的に接続する請求項１に記載の発光シート。
【発明の詳細な説明】
【技術分野】
【０００１】
本発明は、有機ＥＬ素子を用いた発光シートに関する。
【背景技術】
【０００２】
近年、広告体等として、ＥＬ素子を用いて面発光可能に構成されたものが普及している（特許文献１〜３参照）。
【先行技術文献】
【特許文献】
【０００３】
【特許文献１】特開２００２−３１１８６５号公報
【特許文献２】国際公開２００４／０６４０２０号
【特許文献３】特開２０１２−１６０３９７号公報
【発明の概要】
【発明が解決しようとする課題】
【０００４】
しかし、特許文献１〜３に記載の発明は、外部電源からの電力供給が必要であるため、使用形態に制限があった。【０００５】
本発明は、前記の点に鑑みてなされたものであり、外部電源との接続無しで発光表示を行うことが可能な発光シートを提供することを課題とする。
を提供することを課題とする。
【課題を解決するための手段】
【０００６】
前記課題を解決するための本発明は、以下の構成を備える。
１．基材と、前記基材に設けられているシート電池と、前記基材に設けられており、前記シート電池からの電力によって発光する有機ＥＬ素子と、前記基材に設けられており、前記シート電池と前記有機ＥＬ素子とを電気的に接続した状態と切断した状態とを切替可能なスイッチと、を備える発光シート。
２．前記有機ＥＬ素子を覆うとともに、前記有機ＥＬ素子から発光された光を透過可能な光透過部を有する表示シートを備える前記１に記載の発光シート。
３．前記光透過部を透過する光のピーク波長は、前記有機ＥＬ素子の発光スペクトルのピーク波長から３０ｎｍ以内に設定されている前記２に記載の発光シート。
４．前記表示シートと前記基材との間に設けられており、前記有機ＥＬ素子から発光された光が通過する開口部を有する遮光シートを備える前記２又は３に記載の発光シート。
５．前記有機ＥＬ素子は、紫外線照射によってパターニングされている前記１に記載の発光シート。
６．前記シート電池は、前記基材の前記有機ＥＬ素子が設けられた面とは反対側の面に設けられている前記１に記載の発光シート。
７．前記シート電池は、前記基材の前記有機ＥＬ素子が設けられている面と同一の面に設けられており、前記基材が折り曲げられることによって、前記有機ＥＬ素子とは反対側に配置されている前記１に記載の発光シート。
８．前記スイッチは、前記基材に対して当該基材の面と交差する方向に相対移動可能なスイッチ側導線を備え、前記スイッチ側導線が前記基材に設けられる基材側導線に接触することによって、前記シート電池と前記有機ＥＬ素子とを電気的に接続する前記１に記載の発光シート。
【発明の効果】
【０００７】
本発明によると、外部電源との接続無しで発光表示を行うことができる。
【図面の簡単な説明】
【０００８】
【図１】本発明の第一の実施形態に係る発光シートを模式的に示す分解斜視図である。
【図２】本発明の第一の実施形態に係るスイッチを模式的に示す分解斜視図である。
【図３】本発明の第一の実施形態に係る発光シートを模式的に示す断面図であり、図１のＩＩＩ−ＩＩＩ線断面図である。
【図４】本発明の第二の実施形態に係る発光シートを模式的に示す断面図である。
【図５】本発明の第三の実施形態に係る発光シートを模式的に示す分解斜視図である。
【図６】本発明の第三の実施形態に係る発光シートを模式的に示す断面図であり、図５のＶＩ−ＶＩ線断面図である。
【図７】本発明の第四の実施形態に係る発光シートを模式的に示す分解斜視図である。
【図８】本発明の第四の実施形態に係る発光シートを模式的に示す断面図であり、図７のＶＩＩＩ−ＶＩＩＩ線断面図である。
【発明を実施するための形態】
【０００９】
本発明の実施形態について、図面を参照して詳細に説明する。説明において、同一の要素には同一の符号を付し、重複する説明は省略する。本発明の発光シートは、パンフレット、商品の梱包容器等に適用可能であり、例えば商品を広告するための所望の意匠（文字、数字、図形等）を発光することができる。なお、以下の図面において、断面図は、各シート等の積層状態を模式的に示したものであり、各シート等の膜厚の関係を正確に表したものではない。また、各シート等に関して、正面側（基材１０の有機ＥＬ素子３０が設けられている側、表示シート７０側）の面を一面とし、裏面側の面を他面として説明する。また、本発明における「透明性」とは、有機ＥＬ素子３０によって発光された光（可視光）がユーザによって視認可能な程度に透過することを意味する。
【００１０】
＜第一の実施形態＞
図１及び図３に示すように、本発明の第一の実施形態に係る発光シート１Ａは、例えば５００μｍ以下の厚みに形成されていて可撓性を有しており、自身が有する電源からの電力供給（電圧印加）によって正面側に発光するシートである。発光シート１Ａは、基材１０と、シート電池２０と、有機ＥＬ（Electro Luminescence）素子（ＯＬＥＤ：Organic Light Emitting Diode）３０と、配線４０と、スイッチ５０と、遮光シート６０と、表示シート７０と、を備える。
【００１１】
＜基材＞
基材１０は、シート電池２０、有機ＥＬ素子３０及び配線４０が設けられるシート状の支持体である。基材１０は、可撓性及び非導電性（絶縁性）を有する紙、樹脂製のフィルム等によって形成可能である。基材１０は、透明性を有してなくてもよい。
【００１２】
基材１０には、シート電池２０を囲むように脆弱部（例えば、ミシン目）１０ａが形成されている。基材１０は、かかる脆弱部１０ａにおいて切り取り可能である。
【００１３】
基材１０の他面のスイッチ５０に対応する部位には、スイッチ位置通知部１０ｂ（図３参照）が形成されている。スイッチ位置通知部１０ｂは、スイッチ５０の位置をユーザに知らせるためのものであり、例えば基材１０の他面に着色料を塗布すること等によって形成可能である。
【００１４】
＜シート電池＞
シート電池２０は、基材１０の一面に設けられており、有機ＥＬ素子３０を発光させるために有機ＥＬ素子３０に電力を供給する電源である。シート電池２０は、図示しない接着剤によって基材１０の一面に固定されている。シート電池２０は、ポリマー電池等によって形成可能である。
【００１５】
＜有機ＥＬ素子＞
有機ＥＬ素子３０は、基材１０の一面に設けられており、シート電池２０から供給される電力によって面発光する素子である。有機ＥＬ素子３０は、後記する開口部６０ａ，７１ａよりも大きい領域で面発光する。有機ＥＬ素子３０は、図示しない接着剤によって基材１０の一面に固定されている。本実施形態において、有機ＥＬ素子３０は、低コスト化の観点から、有機層として、基材１０側から順に、正孔注入層、正孔輸送層、発光層、電子輸送層、電子注入層の５層を備える。正孔注入層は、有機ＥＬ素子３０のアノード極に電気的に接続されており、電子注入層は、有機ＥＬ素子３０のカソード極に電気的に接続されている。また、有機ＥＬ素子３０は、前記した有機層及び電極以外にも、ガスバリア層、無機層、ＡＬＰＥＴ（アルミ箔ＰＥＴ（PolyEthylene Terephthalate resin）複合フィルム）によって形成される封止層等を備える。有機ＥＬ素子３０は、シート電池２０から電力が供給されると、電子注入層及び電子輸送層を介した電子と正孔注入層及び正孔輸送層を介した正孔とが発光層において結合することによって発光する。なお、有機ＥＬ素子３０の有機層は、前記した５層構造に限定されず、電子阻止層、正孔阻止層等を備える構成であってもよい。
【００１６】
＜配線＞
配線４０は、基材１０の一面に設けられており、シート電池２０と有機ＥＬ素子３０とをスイッチ５０を介して電気的に接続するためのものである。配線４０は、導電性インクを基材１０の一面に塗布したり、導電性テープを基材１０の一面に貼り付けたりすることによって形成可能である。
【００１７】
本実施形態において、配線４０は、基材側導線として、導線４１，４２，４３を備える。導線４１の一端部は、シート電池２０の一方の極（例えば、正極）と電気的に接続されており、導線４１の他端部は、スイッチ５０まで延設されている。導線４２の一端部は、シート電池２０の他方の極（例えば、負極）と電気的に接続されており、導線４２の他端部は、有機ＥＬ素子３０の一方の電極（例えば、陰極）と電気的に接続されている。導線４３の一端部は、有機ＥＬ素子３０の他方の電極（例えば、陽極）と電気的に接続されており、導線４３の他端部は、スイッチ５０まで延設されている。
【００１８】
シート電池２０の各極及び有機ＥＬ素子３０の各電極は、膜厚方向に導電性を有する接着剤（接着性を有する異方性導電膜）を介して各導線４１〜４３と電気的に接続される。
【００１９】
＜スイッチ＞
スイッチ５０は、基材１０の一面側（すなわち、基材１０と遮光シート６０との間）に設けられており、シート電池２０からの電力を有機ＥＬ素子３０へ供給する接続状態と、シート電池２０からの有機ＥＬ素子３０への電力供給を遮断する切断状態と、を切替可能に構成されている。本実施形態において、スイッチ５０は、非操作状態（非押圧状態）において切断状態となり、操作状態（押圧状態）において接続状態となる。図２に示すように、スイッチ５０は、一対の桁部５１，５１と、天井部５２と、導線５３と、を備える。
【００２０】
一対の桁部５１，５１は、基材１０の一面において、導線４２，４３の他端部と交差するように設けられている。一対の桁部５１，５１は、図示しない接着剤によって基材１０の一面に固定されている。一対の桁部５１，５１は、非導電性（絶縁性）を有する紙、樹脂製のフィルム等によって形成可能である。
【００２１】
天井部５２は、一対の桁部５１，５１に架設されている。天井部５２は、図示しない接着剤によって一対の桁部５１，５１に固定されている。天井部５２は、非導電性（絶縁性）を有する紙、樹脂製のフィルム等によって形成可能である。
【００２２】
導線５３は、天井部５２の他面（基材１０側となる面）に設けられるスイッチ側導電である。導線５３は、導電性インクを天井部５２の他面に塗布したり、導電性テープを天井部５２の他面に貼り付けたりすることによって形成可能である。導線５３の厚みは、一対の桁部５１，５１の厚みよりも小さく設定されている。導線５３の一端部は、導線４１の他端部と対向するように配置されており、導線５３の他端部は、導線４３の他端部と対向するように配置されている。また、導線５３は、基材１０（基材側導線４１，４３）に対して基材１０の面と交差する方向に相対移動可能に構成されている。すなわち、導線５３は、通常時は基材側導線４１，４３から離間しており、ユーザによるスイッチ５０操作時に基材側導線４１，４３と接触する。
【００２３】
＜遮光シート＞
図１及び図３に示すように、遮光シート６０は、有機ＥＬ素子３０によって発光された光のうち、表示に不要な光を遮断するシートである。遮光シート６０は、正面視で基材１０と同一形状で同じ大きさを呈するシートであり、基材１０の一面に重ねて設けられている。遮光シート６０の周縁部は、接着剤２によって基材１０の周縁部に固定されている。遮光シート６０は、可撓性及び非導電性（絶縁性）を有する紙、樹脂製のフィルム等によって形成可能である。遮光シート６０は、透明性を有しておらず、有色、特に黒色であることが望ましい。
【００２４】
遮光シート６０の正面視で有機ＥＬ素子３０の面発光領域と重なる部位には、開口部６０ａが形成されている。開口部６０ａは、当該発光シート１Ａが表示すべき意匠（文字、数字、図形等）を模っている。
【００２５】
＜表示シート７０＞
表示シート７０は、正面視で基材１０及び遮光シート６０と同一形状で同じ大きさを呈するシートであり、遮光シート６０の一面に重ねて設けられている。図３に示すように、表示シート７０は、有機ＥＬ素子３０によって発光された光によって、所望の意匠（文字、数字、図形等）を表示するシートである。表示シート７０は、表示シート本体７１と、透光シート７２と、を備える。
【００２６】
≪表示シート本体≫
表示シート本体７１は、遮光シート６０の一面に重ねて設けられている。表示シート本体７１の周縁部は、遮光シート６９の周縁部に接着剤によって固定されている。表示シート本体７１は、可撓性及び非導電性（絶縁性）を有する紙、樹脂製のフィルム、布等によって形成可能である。表示シート本体７１は、透明性を有していない。
【００２７】
表示シート本体７１の正面視で有機ＥＬ素子３０の面発光領域と重なる部位には、開口部７１ａが形成されている。開口部７１ａは、当該発光シート１Ａが表示すべき意匠（文字、数字、図形等）を模っており、前記した開口部６０ａと同様の形状を呈する。
【００２８】
≪透光シート≫
透光シート７２は、有機ＥＬ素子３０から発光された光を透過可能な光透過部の一例であって、開口部７１ａを塞ぐように、表示シート本体７１の他面に重ねて設けられている。透光シート７２の周縁部は、図示しない接着剤によって表示シート本体７１の他面に固定されている。透光シート７２は、可撓性及び非導電性（絶縁性）を有する樹脂製のフィルム等によって形成可能である。透光シート７２は、透明性を有している。
【００２９】
かかる透光シート７２は、無色透明であってもよく、有色透明であってもよい。有色透明である場合には、透光シート７２が透過する光のピーク波長は、有機ＥＬ素子３０の発光スペクトルのピーク波長から３０ｎｍ以内に設定されていることが望ましい。例えば、透光シート７２として赤色透明のフィルムが採用される場合には、有機ＥＬ素子３０として、赤色にピーク波長を有する赤色光を発光するものが好適に用いられる。
【００３０】
＜動作例＞
続いて、本発明の第一の実施形態に係る発光シート１Ａの動作例について、発光動作、シート電池交換の順に説明する。
【００３１】
≪発光動作≫
ユーザがスイッチ位置通知部１０ｂを他面側から押圧すると（図３の矢印Ｘ１）、スイッチ５０側の導線５３と基材１０側の導線４１，４３とが電気的に接続される。これにより、シート電池２０からの電力が有機ＥＬ素子３０へ供給され、有機ＥＬ素子３０が発光する。有機ＥＬ素子３０によって発光された光が表示シート７０の透光シート７２を透過することによって、発光シート１Ａは、所望の意匠（文字、数字、図形等）を発光表示する（図３の矢印Ｘ２）。
【００３２】
≪シート電池交換≫
発光シート１Ａの長期使用等によってシート電池２０を交換する必要が生じた場合には、ユーザは、基材１０の一部（シート電池２０が設けられる部位）を脆弱部１０ａにおいて切り取ることによってシート電池２０を交換する。例えば、元のシート電池２０（及び導線４１，４２の一部）は、基材１０の一部とともに切り離される。続いて、ユーザは、新たなシート電池２０及び導線４１，４２の一部（例えば、導電性テープ製）を用意し、導線４１，４２の一部を既存の導線４１，４２にそれぞれ電気的に接続するとともに、新たなシート電池２０及び導線４１，４２の一部を別の基材で覆う。別の基材には、シート電池２０、導線４１，４２、遮光シート６０の露出した周縁部、及び、元の基材１０の切り取りによって形成された切り欠き部の縁部が接着剤によって貼り付けられる。
【００３３】
本発明の第一の実施形態に係る発光シート１Ａは、シート電池２０からの電力によって有機ＥＬ素子３０を発光させることができるので、外部電源との接続を不要とすることができる。
また、発光シート１Ａは、スイッチ５０を備えるので、発光表示のＯＮ／ＯＦＦを好適に切り替えることができる。
また、発光シート１Ａは、基材１０、遮光シート６０及び表示シート７０が紙、フィルム等によって形成されているので、薄型化、軽量化及び可撓性を好適に実現することができる。また、発光シート１Ａは、安価で容易に製造可能である。
【００３４】
また、発光シート１Ａは、表示シート７０が光透過部（開口部７１ａ及び透光シート７２）を有しているので、簡易な構成で所望の意匠（文字、数字、図形等）を好適に発光表示することができる。
【００３５】
また、発光シート１Ａは、透光シート７２を透過する光のピーク波長が有機ＥＬ素子３０の発光スペクトルのピーク波長から３０ｎｍ以内に設定されているので、有機ＥＬ素子３０によって発光された光をロスすることなく好適な発光表示を行うことができる。
【００３６】
また、発光シート１Ａは、基材１０と表示シート７０との間に遮光シート６０が設けられているので、有機ＥＬ素子３０によって発光された光が表示シート７０のうち光透過部以外の部位を明るくすることを防止し、好適な発光表示を行うことができる。
【００３７】
また、発光シート１Ａは、簡易な構造でスイッチ５０を構成するとともに、ユーザがスイッチ５０を押圧するだけで好適な発光表示を行うことができる。
【００３８】
＜第二の実施形態＞
続いて、本発明の第二の実施形態に係る発光シートについて、第一の実施形態に係る発光シート１Ａとの相違点を中心に説明する。図４に示すように、本発明の第二の実施形態に係る発光シート１Ｂにおいて、シート電池２０は、基材１０の他面に設けられている。また、導線４１，４２は、シート電池２０と電気的に接続されるように、基材１２の一面から他面にわたって設けられている。導線４１，４２は、導電性テープを基材１０の一面から他面にわたって貼り付けることによって形成可能である。また、基材１０には、脆弱部１０ａは形成されていない。
【００３９】
＜動作例／シート電池交換＞
発光シート１Ｂの長期使用等によってシート電池２０を交換する必要が生じた場合には、ユーザは、発光シート１Ｂの裏面側に露出するシート電池２０を交換する。すなわち、ユーザは、シート電池２０を基材１０から取り外し、新たなシート電池２０を導線４１，４２に電気的に接続して元のシート電池２０の位置に接着剤を用いて貼り付ける。
【００４０】
本発明の第二の実施形態に係る発光シート１Ｂは、シート電池２０の交換性を向上することができる。
【００４１】
＜第三の実施形態＞
続いて、本発明の第三の実施形態に係る発光シートについて、第一の実施形態に係る発光シート１Ａとの相違点を中心に説明する。図５及び図６に示すように、本発明の第三の実施形態に係る発光シート１Ｃにおいて、基材１０は、遮光シート６０及び表示シート７０よりも大きく形成されており、折り代部１０ｃを有している。シート電池２０及び導線４１，４２の一部は、基材１０の一面であって折り代部１０ｃの一面に形成されている。折り代部１０ｃは、基材１０の他面側に折り畳まれており、基材１０の本体部の他面と折り代部１０ｃの他面とが接着剤４によって固定されている。また、基材１０には、脆弱部１０ａは形成されていない。
【００４２】
＜動作例／シート電池交換＞
発光シート１Ｃの長期使用等によってシート電池２０を交換する必要が生じた場合には、ユーザは、発光シート１Ｃの裏面側に露出するシート電池２０を交換する。すなわち、ユーザは、シート電池２０を基材１０から取り外し、新たなシート電池２０を導線４１，４２に電気的に接続して元のシート電池２０の位置に接着剤を用いて貼り付ける。
【００４３】
本発明の第三の実施形態に係る発光シート１Ｃは、配線４０の製造性を低下させることなく、シート電池２０の交換性を向上することができる。
【００４４】
＜第四の実施形態＞
続いて、本発明の第四の実施形態に係る発光シートについて、第一の実施形態に係る発光シート１Ａとの相違点を中心に説明する。図７に示すように、本発明の第四の実施形態に係る発光シート１Ｄは、遮光シート６０及び表示シート７０に替えて、透光シート８０を備える。
【００４５】
透光シート８０は、正面視で基材１０と同一形状で同じ大きさを呈するシートであり、基材１０の一面に重ねて設けられている。透光シート８０の周縁部は、接着剤２によって基材１０の周縁部に固定されている。かかる透光シート８０としては、前記した透光シート７２と同様のフィルムが好適に用いられる。
【００４６】
また、有機ＥＬ素子３０は、ＵＶ照射によってパターニングされている。すなわち、有機ＥＬ素子のうち、紫外線が照射されていない部位は発光領域３１となり、紫外線が照射された部位は非発光領域３２となっている。発光領域３１は、前記した開口部６０ａ，７１ａと同様に、表示すべき意匠（文字、数字、図形等）を模っている。
【００４７】
＜動作例／発光動作＞
ユーザがスイッチ位置通知部１０ｂを他面側から押圧すると（図８の矢印Ｘ１）、スイッチ５０側の導線５３と基材１０側の導線４１，４３とが電気的に接続される。これにより、シート電池２０からの電力が有機ＥＬ素子３０へ供給され、有機ＥＬ素子３０の発光領域３１が発光する。有機ＥＬ素子３０の発光領域３１によって発光された光が透光シート８０透過することによって、発光シート１Ｄは、所望の意匠（文字、数字、図形等）を発光表示する。
【００４８】
本発明の第四の実施形態に係る発光シート１Ｄは、遮光シート６０及び表示シート７０が不要であるため、薄型化、軽量化及び可撓性をより好適に実現することができる。
【００４９】
以上、本発明の実施形態及び変形例について説明したが、本発明は前記実施形態に限定されず、本発明の要旨を逸脱しない範囲で適宜変更可能である。例えば、第四の実施形態に係る発光シート１Ｄにおいて、有機ＥＬ素子３０がＵＶ照射によってパターニングされていない構成であってもよい。この場合には、第一の実施形態の遮光シート６０及び表示シート７０に対応する部材が、発光シート１Ｄが取り付けられる対象物（パンフレット、梱包容器等）に設けられていることによって、所望の意匠を発光表示することが可能となる。
【００５０】
また、発光シート１Ａ〜１Ｄは、発光色が異なる複数の有機ＥＬ素子３０を備える構成であってもよい。この場合には、有機ＥＬ素子３０の発光スペクトルのピーク波長から３０ｎｍ以内に透過光のピーク波長が設定された光透過部が、各有機ＥＬ素子３０に対応して設けられることが望ましい。かかる構成は、複数の光透過部が例えば４ｍｍ以上離れている場合に適用可能である。
【００５１】
また、接着剤２，３は、基材１０、各シート６０，７０間の全体にわたって設けられてもよい。また、スイッチ位置通知部は、表示シート７０の一面に形成されていてもよい。また、スイッチ位置通知部は、基材１０及び／又は表示シート７０にエンボス加工によって形成された凹凸部等であってもよい。
【符号の説明】
【００５２】
１Ａ，１Ｂ，１Ｃ，１Ｄ  発光シート
１０    基材
２０    シート電池
３０    有機ＥＬ素子
５０    スイッチ
６０    遮光シート
７０    表示シート
７１ａ  開口部（光透過部）
７２    透光シート（光透過部）
【図１】
2018173495.tif 000003
【図２】
2018173495.tif 000004
【図３】
2018173495.tif 000005
【図４】
2018173495.tif 000006
【図５】
2018173495.tif 000007
【図６】
2018173495.tif 000008
【図７】
2018173495.tif 000009
【図８】
2018173495.tif 000010
【国際調査報告】
2018173495.tif 000011
2018173495.tif 000012
2018173495.tif 000013
2018173495.tif 000014